(57)【要約】【課題】高い信号対ノイズ比及び低いコントラストを有する画像を提供できる、偏光を使用した動物の体のＭＲＩ画像処理システム及び方法を提供する。【解決手段】ＭＲＩ画像処理システムは、動物の少なくとも一部を画像化するように構成されたＭＲＩ装置と、光子源と、前記光子源によって放射された光子を検出可能な画像化光子検出器と、重畳された画像が所定のＳＮＲ０を有するようにＭＲＩの画像及び光子検出器の画像を重畳するように構成された画像プロセッサとを備えており、システムは、重畳された画像がＳＮＲ０より大きいＳＮＲ１値を得るように、動物と光子検出器との間に配置された１つ又はそれ以上の偏光子をさらに備えている。【選択図】図１
2014039817.tif 000002
【特許請求の範囲】
【請求項１】
動物の少なくとも一部を画像化するように構成されたＭＲＩ装置と、光子源と、前記光子源によって放射された光子を検出可能な画像化光子検出器と、重畳された画像が所定のＳＮＲ０を有するように前記ＭＲＩの画像及び前記光子検出器の画像を重畳するように構成された画像プロセッサとを備えており、前記システムは、前記重畳された画像が前記ＳＮＲ０より大きいＳＮＲ１値を得るように、前記動物と前記光子検出器との間に配置された１つ又はそれ以上の偏光子をさらに備えていることを特徴とするＭＲＩ画像処理システム。
【請求項２】
蛍光光子を検出可能な第２の画像化光子検出器をさらに備えていることを特徴とする請求項１に記載のＭＲＩ画像処理システム。
【請求項３】
前記動物と前記第２の画像化光子検出器との間に配置された第２の偏光子をさらに備えていることを特徴とする請求項２に記載のＭＲＩ画像処理システム。
【請求項４】
前記光子源によって放射された光子及び前記蛍光光子が、単一の光子検出器によって検出されることを特徴とする請求項２に記載のＭＲＩ画像処理システム。
【請求項５】
前記光子源によって放射された光子及び前記蛍光光子が、単一の光子検出器によって検出されることを特徴とする請求項３に記載のＭＲＩ画像処理システム。
【請求項６】
（ａ）第３の偏光子が前記光子源と前記対象との間に配置されていること、
（ｂ）前記ＭＲＩの磁石が超電導磁石、永久磁石及びそれらの任意の組み合わせからなる群から選択されること、
（ｃ）前記偏光子が複屈折結晶、偏光結晶、偏光子及びそれらの任意の組み合わせからなる群から選択されること、
（ｄ）前記光子源の波長範囲がガンマ放射線、Ｘ線、遠紫外線、近紫外線、可視光、近赤外線、遠赤外線及びそれらの任意の組み合わせからなる群から選択されること
の少なくとも１つが真の状態に保たれていることを特徴とする請求項１に記載のＭＲＩ画像処理システム。
【請求項７】
（ａ）前記光子検出器が、ＣＣＤアレイ、カメラ、光伝導検出器アレイ、光電池検出器アレイ、量子ドットアレイ、超伝導単光子検出器アレイ、光電池アレイ、光電管アレイ及びそれらの任意の組み合わせからなる群から選択されること、
（ｂ）前記画像プロセッサが、少なくとも一部の前記ＭＲＩの画像と少なくとも一部の前記光子検出器の画像とを相関する又は組み合わせるブール法により前記重畳された画像をレンダリングするように構成されていること
の少なくとも１つが真の状態に保たれていることを特徴とする請求項１に記載のＭＲＩ画像処理システム。
【請求項８】
前記画像プロセッサが、少なくとも一部の前記ＭＲＩの画像と、前記光子検出器の画像及び前記第２の光子検出器の画像からなる群の少なくとも１つの少なくとも一部とを相関する又は組み合わせるブール法により前記重畳された画像をレンダリングするように構成されていることを特徴とする請求項２に記載のＭＲＩ画像処理システム。
【請求項９】
前記ブール法が、ＯＲ、ＡＮＤ、ＮＯＴ、ＥＸＣＬＵＳＩＶＥ  ＯＲ及びそれらの任意の組み合わせからなる群から選択されるブール演算子を使用することを特徴とする請求項７に記載のＭＲＩ画像処理システム。
【請求項１０】
前記ブール法が、ＯＲ、ＡＮＤ、ＮＯＴ、ＥＸＣＬＵＳＩＶＥ  ＯＲ及びそれらの任意の組み合わせからなる群から選択されるブール演算子を使用することを特徴とする請求項９に記載のＭＲＩ画像処理システム。
【請求項１１】
（ａ）動物の少なくとも一部を画像化するように構成されたＭＲＩ装置と、光子源と、画像化光子検出器と、前記光子源によって放射された光子を検出可能な画像化光子検出器と、重畳された画像が所定のＳＮＲ０を有するように前記ＭＲＩの画像及び前記光子検出器の画像を重畳するように構成された画像プロセッサとを有するＭＲＩ画像処理システムを提供するステップと、
（ｂ）前記動物と前記光子検出器との間に１つ又はそれ以上の偏光子を配置するステップと、
（ｃ）前記動物の前記少なくとも一部のＭＲＩ画像を得るステップと、
（ｄ）前記動物の前記少なくとも一部の光子検出器画像を得るステップと、
（ｅ）重畳された画像が前記ＳＮＲ０より大きいＳＮＲ１値を得るように、前記動物の前記少なくとも一部の前記ＭＲＩ画像及び前記光子検出器画像を重畳するステップと
を備えていることを特徴とする、動物の少なくとも一部をＭＲＩ画像処理する方法。
【請求項１２】
蛍光光子を検出可能な第２の画像光子検出器を提供するステップをさらに備えていることを特徴とする請求項１１に記載のＭＲＩ画像処理方法。
【請求項１３】
前記動物と前記第２の画像光子検出器との間に第２の偏光子を提供するステップをさらに備えていることを特徴とする請求項１２に記載のＭＲＩ画像処理方法。
【請求項１４】
単一の画像検出器により前記光子源及び前記蛍光光子によって放射される前記光子を検出するステップをさらに備えていることを特徴とする請求項１２に記載のＭＲＩ画像処理方法。
【請求項１５】
単一の画像検出器により前記光子源及び前記蛍光光子によって放射される前記光子を検出するステップをさらに備えていることを特徴とする請求項１３に記載のＭＲＩ画像処理方法。
【請求項１６】
（ａ）蛍光誘導材料を前記対象に注入するステップと、
（ｂ）前記光子源と前記対象との間に第３の偏光子を提供するステップと、
（ｃ）前記ＭＲＩの磁石を超電導磁石、永久磁石及びそれらの任意の組み合わせからなる群から選択するステップと、
（ｄ）前記偏光子を複屈折結晶、偏光結晶、偏光子及びそれらの任意の組み合わせからなる群から選択するステップと、
（ｅ）前記光子源の波長範囲をガンマ放射線、Ｘ線、遠紫外線、近紫外線、可視光、近赤外線、遠赤外線及びそれらの任意の組み合わせからなる群から選択するステップと、
（ｆ）前記少なくとも１つの画像検出器をＣＣＤアレイ、カメラ、光伝導検出器アレイ、光電池検出器アレイ、量子ドットアレイ、超伝導単光子検出器アレイ、光電池アレイ、光電管アレイ及びそれらの任意の組み合わせからなる群から選択するステップと、
（ｇ）少なくとも一部の前記ＭＲＩの画像と、少なくとも一部の前記光子検出器の画像とを相関する又は組み合わせるブール法により前記重畳された画像をレンダリングするステップと、
（ｈ）少なくとも一部の前記ＭＲＩの画像と、前記光子検出器の画像及び前記第２の光子検出器の画像からなる群の少なくとも１つの少なくとも一部とを相関する又は組み合わせるブール法により前記重畳された画像をレンダリングするステップと、
（ｉ）前記ブール法として、ＯＲ、ＡＮＤ、ＮＯＴ、ＥＸＣＬＵＳＩＶＥ  ＯＲ及びそれらの任意の組み合わせからなる群から選択されるブール演算子を使用するステップと、
これらの任意の組み合わせとからなる群から選択された少なくとも１つのステップを備えていることを特徴とする請求項１１に記載のＭＲＩ画像処理方法。
【発明の詳細な説明】
【技術分野】
【０００１】
本発明は、一般に、高い信号対ノイズ比及び高いコントラストを有する画像を提供するために偏光を用いて動物の体をＭＲＩ画像処理するシステム及び方法に関する。
【背景技術】
【０００２】
従来のＭＲＩシステムにおいて、高磁場（約１３Ｔ）のシステムによれば、高い信号対ノイズ比（ＳＮＲ)であるが低いコントラストを有する画像が提供される。低磁場（約１Ｔ）のシステムによれば、より低いＳＮＲであるがより高いコントラストを有する画像が提供される。ＳＮＲ及びコントラストが共に低い場合、ＭＲＩ画像を理解することが困難となる。
【０００３】
高磁場のこのシステムは、動物に被害を与えかねないという点で不利であり、従って、非常に高い磁場は回避されることが多い。
【０００４】
特許文献１は、ガンマ放射線入射を含む事象に応答して最大で２個又は３個の光子のバーストを同時に発生がすることによってエネルギを検出することを通常は含む核画像処理方法及びシステムを開示している。光検出器アレイのサイズに応じて、７個の光検出器のＦ個の共有中央グループの群が、ハニカムアレイに配列されて、連続した各検出器に対し、一度にＦ個の光学光子のバーストまでのゾーンを観察するようにし、かつ光学光子のバーストを信号出力に変換し、中央グループの各々がゾーンに関連付けられている。これにより、検出器の感度を２桁も増大させ、この過剰な感度の一部と引き替えに、かつてない、ＣＴ及びＭＲＩに匹敵する空間分解能を達成することができる。散乱した入射放射線による信号出力は、中央グループの各々に拒絶されて画像ボケを低減し、これによって画質がさらに向上する。平面画像処理の場合、Ｆ個までの有効な事象のエネルギ及び位置信号が、不感期間毎に生成され、画像表示及びデータ分析用のコンピュータメモリへ転送される。検出される有効な事象数は、ＳＰＥＣＴについては最大で６Ｆまで、ＰＥＴ画像処理については最大で３Ｆまでである。
【０００５】
特許文献２には、ウイルス、細胞、細胞内構造若しくは細胞外構造等の標的構造が媒介するか又はそうした標的構造と関連がある状態、障害若しくは疾患を治療することを含めた、生物学的活性を媒介するか又は生物学的活性と関連がある標的構造を改変するための製品、組成物、システム及び方法が開示されている。この方法は、対象の標的構造付近に、表面の少なくとも一部分上に金属シェルを有するナノ粒子を置き、開始エネルギを対象に印加することによって、その位置で非侵襲性の様式で実施し、標的構造に対する作用若しくは変化を直接的に又は調節剤を介して発生させることができる。ナノ粒子は、第１の波長Ｘ１に暴露されると、第１の波長Ｘ１より高いエネルギを有する放射線の第２の波長Ｘ２を発生するように構成されている。さらに、この方法は、場合によっては１つ若しくはそれ以上のプラズモン活性剤を用いて、直接的に又はエネルギ調節剤を介して、その位置で対象に開始エネルギを印加することにより実施することもでき、これによって目標構造に作用若しくは変化をもたらすことができる。キットは、これら方法を実施する際に用いられるシステム、及びそのように編成若しくは構成された製品又は組成を含んでいる。
【先行技術文献】
【特許文献】
【０００６】
【特許文献１】米国特許公開公報第２０１１／００７３７６４号明細書
【特許文献２】米国特許公開公報第２０１１／００２１９７０号明細書
【発明の概要】
【発明が解決しようとする課題】
【０００７】
しかしながら、特許文献１及び特許文献２のいずれも、ＭＲＩを直接画像処理及び蛍光画像処理の両方と結合することを開示していない。
【０００８】
低いＳＮＲに悩まされることがなく、かつ、低コントラストに悩まされることがないシステムを提供することが長年にわたる切実な要求であった。
【０００９】
従って、本発明は、高い信号対ノイズ比及び低いコントラストを有する画像を提供できる、偏光を使用した動物の体のＭＲＩ画像処理システム及び方法を提供することを目的としている。
【課題を解決するための手段】
【００１０】
本発明によれば、動物の少なくとも一部を画像化するように構成されたＭＲＩ装置と、光子源と、光子源によって放射された光子を検出可能な画像化光子検出器と、重畳された画像が所定のＳＮＲ０を有するようにＭＲＩの画像及び光子検出器の画像を重畳するように構成された画像プロセッサとを備えており、システムは、重畳された画像がＳＮＲ０より大きいＳＮＲ１値を得るように、動物と光子検出器との間に配置された１つ又はそれ以上の偏光子をさらに備えているＭＲＩ画像処理システムが提供される。
【００１１】
本発明の一態様によれば、蛍光光子を検出可能な第２の画像化光子検出器をさらに備えているＭＲＩ画像処理システムが提供される。
【００１２】
本発明の一態様によれば、動物と第２の画像化光子検出器との間に配置された第２の偏光子をさらに備えているＭＲＩ画像処理システムが提供される。
【００１３】
本発明の一態様によれば、光子源によって放射された光子及び蛍光光子が、単一の光子検出器によって検出されるＭＲＩ画像処理システムが提供される。
【００１４】
本発明の一態様によれば、第３の偏光子が光子源と対象との間に配置されているＭＲＩ画像処理システムが提供される。
【００１５】
本発明の一態様によれば、ＭＲＩの磁石が超電導磁石、永久磁石及びそれらの任意の組み合わせからなる群から選択されるＭＲＩ画像処理システムが提供される。
【００１６】
本発明の一態様によれば、偏光子が複屈折結晶、偏光結晶、偏光子及びそれらの任意の組み合わせからなる群から選択されるＭＲＩ画像処理システムが提供される。
【００１７】
本発明の一態様によれば、光子源の波長範囲がガンマ放射線、Ｘ線、遠紫外線、近紫外線、可視光、近赤外線、遠赤外線及びそれらの任意の組み合わせからなる群から選択されるＭＲＩ画像処理システムが提供される。
【００１８】
本発明の一態様によれば、光子検出器が、ＣＣＤアレイ、カメラ、光伝導検出器アレイ、光電池検出器アレイ、量子ドットアレイ、超伝導単光子検出器アレイ、光電池アレイ、光電管アレイ及びそれらの任意の組み合わせからなる群から選択されるＭＲＩ画像処理システムが提供される。
【００１９】
本発明の一態様によれば、画像プロセッサが、少なくとも一部のＭＲＩの画像と少なくとも一部の光子検出器の画像とを相関する又は組み合わせるブール法により重畳された画像をレンダリングするように構成されているＭＲＩ画像処理システムが提供される。
【００２０】
本発明の一態様によれば、画像プロセッサが、少なくとも一部のＭＲＩの画像と、光子検出器の画像及び第２の光子検出器の画像からなる群の少なくとも１つの少なくとも一部とを相関する又は組み合わせるブール法により重畳された画像をレンダリングするように構成されているＭＲＩ画像処理システムが提供される。
【００２１】
本発明の一態様によれば、ブール法が、ＯＲ、ＡＮＤ、ＮＯＴ、ＥＸＣＬＵＳＩＶＥ  ＯＲ及びそれらの任意の組み合わせからなる群から選択されるブール演算子を使用するＭＲＩ画像処理システムが提供される。
【００２２】
本発明によれば、さらに、動物の少なくとも一部を画像化するように構成されたＭＲＩ装置と、光子源と、画像化光子検出器と、光子源によって放射された光子を検出可能な画像化光子検出器と、重畳された画像が所定のＳＮＲ０を有するようにＭＲＩの画像及び光子検出器の画像を重畳するように構成された画像プロセッサとを有するＭＲＩ画像処理システムを提供するステップと、動物と光子検出器との間に１つ又はそれ以上の偏光子を配置するステップと、動物の少なくとも一部のＭＲＩ画像を得るステップと、動物の少なくとも一部の光子検出器画像を得るステップと、重畳された画像がＳＮＲ０より大きいＳＮＲ１値を得るように、動物の少なくとも一部のＭＲＩ画像及び前記光子検出器画像を重畳するステップとを備えている、動物の少なくとも一部をＭＲＩ画像処理する方法が提供される。
【００２３】
本発明の一態様によれば、蛍光光子を検出可能な第２の画像光子検出器を提供するステップをさらに備えているＭＲＩ画像処理方法が提供される。
【００２４】
本発明の一態様によれば、動物と第２の画像光子検出器との間に第２の偏光子を提供するステップをさらに備えているＭＲＩ画像処理方法が提供される。
【００２５】
本発明の一態様によれば、単一の画像検出器により光子源及び蛍光光子によって放射される光子を検出するステップをさらに備えているＭＲＩ画像処理方法が提供される。
【００２６】
本発明の一態様によれば、蛍光誘導材料を対象に注入するステップをさらに備えているＭＲＩ画像処理方法が提供される。
【００２７】
本発明の一態様によれば、光子源と対象との間に第３の偏光子を提供するステップをさらに備えているＭＲＩ画像処理方法が提供される。
【００２８】
本発明の一態様によれば、ＭＲＩの磁石を超電導磁石、永久磁石及びそれらの任意の組み合わせからなる群から選択するステップをさらに備えているＭＲＩ画像処理方法が提供される。
【００２９】
本発明の一態様によれば、偏光子を複屈折結晶、偏光結晶、偏光子及びそれらの任意の組み合わせからなる群から選択するステップをさらに備えているＭＲＩ画像処理方法が提供される。
【００３０】
本発明の一態様によれば、光子源の波長範囲をガンマ放射線、Ｘ線、遠紫外線、近紫外線、可視光、近赤外線、遠赤外線及びそれらの任意の組み合わせからなる群から選択するステップをさらに備えているＭＲＩ画像処理方法が提供される。
【００３１】
本発明の一態様によれば、少なくとも１つの画像検出器をＣＣＤアレイ、カメラ、光伝導検出器アレイ、光電池検出器アレイ、量子ドットアレイ、超伝導単光子検出器アレイ、光電池アレイ、光電管アレイ及びそれらの任意の組み合わせからなる群から選択するステップをさらに備えているＭＲＩ画像処理方法が提供される。
【００３２】
本発明の一態様によれば、少なくとも一部のＭＲＩの画像と、少なくとも一部の光子検出器の画像とを相関する又は組み合わせるブール法により重畳された画像をレンダリングするステップをさらに備えているＭＲＩ画像処理方法が提供される。
【００３３】
本発明の一態様によれば、少なくとも一部のＭＲＩの画像と、光子検出器の画像及び第２の光子検出器の画像からなる群の少なくとも１つの少なくとも一部とを相関する又は組み合わせるブール法により重畳された画像をレンダリングするステップをさらに備えているＭＲＩ画像処理方法が提供される。
【００３４】
本発明の一態様によれば、ブール法として、ＯＲ、ＡＮＤ、ＮＯＴ、ＥＸＣＬＵＳＩＶＥ  ＯＲ及びそれらの任意の組み合わせからなる群から選択されるブール演算子を使用するステップをさらに備えているＭＲＩ画像処理方法が提供される。
【００３５】
本発明及びその実施態様を実際により理解するために、複数の実施形態が、非限定的な例として添付の図面を参照して以下に記載されている。
【図面の簡単な説明】
【００３６】
【図１】本発明のシステムの実施形態が概略的に示されている。
【図２】本発明の実施形態のフロー図を示している。
【発明を実施するための形態】
【００３７】
以下の記載は、本発明の全ての部分と共に、全ての当業者が本発明を使用できるように、本発明を実施する発明者により考察された最良の形態を説明するものである。しかしながら、本発明の一般的な原理が、高い信号／ノイズ比及び高いコントラストの機能的ＭＲＩを得る手段及び方法を提供するために特に規定されているため、当業者によれば、種々の変更態様が明らかである。
【００３８】
従来のＭＲＩシステムにおいて、高い磁場（３テスラより高い磁場、例えば、約１３Ｔ）を備えたシステムは、高いＳＮＲであるが低いコントラストを有する画像を提供する。低磁場（３テスラより低い磁場、例えば、約１Ｔ）のシステムによれば、より低いＳＮＲであるがより高いコントラストを有する画像が提供される。ＳＮＲ及びコントラストが共に低い場合、ＭＲＩ画像を理解することが困難となる。
【００３９】
本発明のシステムは、低い磁場（１Ｔ）のＭＲＩ画像をこのＭＲＩ画像と同時に得られたカメラ画像と結合する。本発明の一実施形態において、ＭＲＩ画像は、動物又は動物の一部について得られる。同時に、対象又は対象の一部が、少なくとも１つの波長範囲の電磁放射線によって照射される。好ましい波長範囲は、可視光、近紫外線、遠紫外線、近赤外線及び遠赤外線であり、他の実施形態においては、Ｘ放射線及びガンマ放射線を使用することができる。対象若しくは対象の一部を又はそれらの両方を通過するか反射する電磁放射線は、偏光子を通過し、カメラ又は他の適切な画像形成検出器によって検出される。本技術分野で周知のように、偏光子は、ポラロイド（登録商標）、他のフィルム型フィルタ、複屈折結晶、他の偏光結晶、又は他の任意の適切な偏光装置であり得る。本発明のシステムの最適実施形態において、光源からの電磁放射線は、対象の体内でフルオロフォア（蛍光色素分子）又は他の蛍光性分子を励起する。フルオロフォア又は他の蛍光性分子は、対象の体内で自然に発生するか、又は本技術分野で周知の任意の方法により体内に導入され得る。体内から出射される蛍光光は、上述したように偏光子を通過し、検出され画像化される。最適の実施形態において、単一の画像検出器が、照射波長範囲の放射線と蛍光放射線とを検出する。他の実施形態において、別個の検出器が、２つの波長範囲のために用いられる。
【００４０】
本発明の装置一実施形態を示す図１を参照すると、ＲＦコイル１３０を有するＭＲＩ１００内の動物１１０が示されている。対象は光源１２０から光で照射される。この光の一部は、対象を通過して、検出器１５０で検出される。また、光の一部は、対象のフルオロフォアにより吸収され、蛍光として再放射されるか又はさもなければ対象により放射される蛍光となる。蛍光放射線は、検出器１４０で検出される。
【００４１】
次いで、ＭＲＩ画像、偏光された照射波長画像及び偏光された蛍光画像が、この分野で周知の方法を用いて結合され、高いコントラスト、高いＳＮＲ及び高解像度の合成画像が提供される。
【００４２】
一実施形態において、画像検出器はＣＣＤアレイである。他の実施形態においては、画像検出器はカメラである。
【００４３】
さらに他の実施形態においては、複数の画像検出器が用いられ、各々が異なる角度から関心ボリュームを画像化する。
【００４４】
図２は本システムの動作方法を概略的に説明するブロック図２００を示している。信号が、ＭＲＩ２２０を介して、光源の波長範囲の放射線を検出できる検出器２３０を介して、対象内の蛍光材料からの蛍光を検出できる検出器２４０を介して、対象２１０から得られる。
【００４５】
画像が、この分野で周知の技術を用いて、上述の信号から作成される（２５０、２６０、２７０）。次いで、この分野で周知の技術を用いて、画像が分析され（２８０、２９０、３００）、結合される（３１０）。得られた結合画像は、低い磁場（１Ｔ)のＭＲＩにおいて一般的である良好なコントラストを有し、さらに、低い磁場（１Ｔ)のＭＲＩ単独で実現可能な解像度及びＳＮＲより高い解像度及びＳＮＲを有している。結合された画像は、次いで、分析され（３２０）、表示されるか又は後の使用のために記憶される（３３０）。
【００４６】
結合技術は、画像を相関し組み合わせるブール法を使用して画像をレンダリングすることを含む。ブール論理を使用してバイナリ画像を組み合わせることにより、これに限定されないが例えばマスキング及び閾値化等の、複数の基準に基づいて構造又は対象を選択することが可能となる。共通して用いられるブール演算子は、ＯＲ、ＡＮＤ、ＮＯＴ、ＥＸＣＬＵＳＩＶＥ  ＯＲ及びそれらの組み合わせである。
【００４７】
いくつかの実施形態においては、直接照射画像、蛍光画像、又はこれらの両方が、十数秒から数十秒までのオーダーの時間内に得られ、これにより、イオン輸送機構、神経活動及び血流のような、対象体内の機能的な変化を本発明のシステムが観察することが可能となる。
【００４８】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００４９】
１００、２２０  ＭＲＩ
１１０  動物
１２０  光源
１３０  ＲＦコイル
１４０、１５０、２３０、２４０  検出器
２１０  対象
【図１】
2014039817.tif 000003
【図２】
2014039817.tif 000004
【外国語明細書】
2014039817000001.pdf